Podtech/llm-jp-corpus-v4-ja_patent huggingface dataset:
【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
動静脈（ＡＶ）フィステルを作るための装置であって、
前記装置は、
第１の管腔と第２の管腔を有する本体を含む第１の部材、
前記第２の管腔に配され、前記第２の管腔から遠位に移動するように、および、遠位に移動する間に組織を切り裂くように構成された穿刺部材を含む、第２の部材、
前記穿刺部材の遠位端から延び、隣接する第１および第２の血管を互いに向かって移動させるように動作可能であり、および、第１の血管と第２の血管の各々の対向する側部に細長く延びた連通開口を形成するようにエネルギーを与えられる、第３の部材を含む、装置。
【請求項２】
第３の部材は、前記穿刺部材の遠位端にヒンジ接続され、前記穿刺部材に対して第１の配向と第２の配向の間で旋回可能なトグル部材を含む、請求項１に記載の装置。
【請求項３】
前記トグル部材は、その１つの端部に尖端を有する、請求項２に記載の装置。
【請求項４】
前記細長く延びた連通開口を作る目的でトグル部材にエネルギーを与えるために、トグル部材に適用するためのＲＦエネルギー源をさらに含む、請求項２に記載の装置。
【請求項５】
前記細長く延びた連通開口を作る目的でトグル部材にエネルギーを与えるために、トグル部材に適用するための抵抗性の熱エネルギーの源をさらに含む、請求項２に記載の装置。
【請求項６】
第３の部材は、前記穿刺部材の遠位端から前記本体の第１の管腔の遠位端へ延伸可能な針を含む、請求項１に記載の装置。
【請求項７】
前記針を近位方向に引っ込めるために前記第１の管腔に配される器具をさらに含む、請求項６に記載の装置。
【請求項８】
前記第１の管腔と前記第２の管腔が同軸にない、請求項１に記載の装置。
【請求項９】
動静脈（ＡＶ）フィステルを作るためのシステムであって、
前記システムは、
中空内部及び出口ポートを有する血管アクセスシース、
前記シースの中空内部内に適合するように構成された側部アクセス針カテーテル、
前記側部アクセス針カテーテルを通して血管内に挿入されるように構成された針、
前記シースの前記内部内に適合するように構成されたトグル送達カテーテル、および、
前記トグル送達カテーテルを介して血管内に送達されるように構成されたトグル装置を含み、前記トグル装置は、シャフトと、前記シャフトの遠位端に旋回可能に取付けられたトグル部材を備える、システム。
【請求項１０】
前記側部アクセス針カテーテルは、第１の管腔および第２の管腔を含む、請求項９に記載のシステム。
【請求項１１】
２つの隣接した血管の間に細長く延びた連通開口を作る目的のために、前記トグル部材へ適用するためのエネルギー源をさらに含む、請求項１０に記載のシステム。
【請求項１２】
２つの隣接した血管の間の細長く延びた連通開口を作る目的で前記トグル送達カテーテル内にヒーターをさらに含み、および、前記ヒーターにエネルギーを与えるためのエネルギー源をさらに含む、請求項１０に記載のシステム。
【請求項１３】
前記ヒーターは、前記トグル送達カテーテルから取り除かれるように、構造上、前記トグル送達カテーテルから分離されるヒーター挿入物を含む、請求項１２に記載のシステム。
【請求項１４】
ヒーター挿入物は、前記トグル部材が近位位置へ引込められる場合に、前記トグル部材と係合するのに適した表面を備えている、請求項１３に記載のシステム。
【請求項１５】
ヒーター挿入物は抵抗性の材料を含む、請求項１３に記載のシステム。
【請求項１６】
ヒーター挿入物は溶接切断領域を含む、請求項１３に記載のシステム。
【請求項１７】
ヒーター挿入物はガイドワイヤースロットを含む、請求項１３に記載のシステム。
【請求項１８】
２つの隣接した血管の間に細長く延びた連通開口を作る目的で、前記トグル部材に適用するためのエネルギー源をさらに含む、請求項１２に記載のシステム。
【請求項１９】
前記トグル部材は、前記シャフトを使用して、延伸された遠位位置と、引っ込められた近位位置の間で動作される、請求項１６に記載のシステム。
【請求項２０】
前記エネルギーはＲＦエネルギーを含む、請求項１８に記載のシステム。
【請求項２１】
前記エネルギーは抵抗性の熱を含む、請求項１８に記載のシステム。
【請求項２２】
近位端と遠位端を有する第１の部分、
前記第１の部分に移動可能に連結された第２の部分であって、第１の身体管腔を通って第２の身体管腔に送達されるように構成された、第２の部分、
前記第１の部分と前記第２の部分の少なくとも１つに動作可能に連結されたエネルギー送達部分、および、
前記第２の部分を、前記第２の身体管腔の壁から離れて配された第１の位置から、前記第２の身体管腔の壁に隣接する第２の位置まで移動させるように構成されたアクチュエータ、
を備える装置。
【請求項２３】
前記アクチュエータと前記第２の部分との間で連結されたシャフトであって、前記第１の位置によって定義される管腔内部に摺動可能に位置づけられるように構成されるシャフトをさらに備える、請求項２２に記載の装置。
【請求項２４】
前記装置が第１の構造であるときに、前記第１の部分と前記第２の部分は第１の距離だけ離れるように構成され、前記装置が第２の構造であるときに、前記第１の部分と前記第２の部分は第２の距離だけ離れるように構成され、前記第１の距離は前記第２の距離とは異なる、請求項２２に記載の装置。
【請求項２５】
前記エネルギー送達部分は、前記第１の身体管腔と前記第２の身体管腔の切断または接続の少なくとも一方を行うように構成される、請求項２２に記載の装置。
【請求項２６】
前記第１の部分は、前記第１の部分の軸に対して直角な角度で身体管腔と係合するように構成された遠位端部を含む、請求項２２に記載の装置。
【請求項２７】
前記第２の部分は、前記第２の部分の軸に対して直角な角度で身体管腔と係合するように構成された表面を含む、請求項２２に記載の装置。
【請求項２８】
前記第１の部分は第１の表面を有し、前記第２の部分は第２の表面を有し、第１の表面と第２の表面は実質的に同一の平面にある、請求項２２に記載の装置。
【請求項２９】
前記エネルギー送達部分の温度を制御するように構成されたフィードバック制御デバイスをさらに備える、請求項２２に記載の装置。
【請求項３０】
前記第２の部分は、第１の構造と第２の構造との間で移動可能であり、前記第２の部分は、前記第１の構造で第１の横方向の寸法を有し、前記第２の構造で第２の横方向の寸法を有する、請求項２２に記載の装置。
【請求項３１】
前記シャフトは、前記第２の部分が前記第１の位置から離れるように移動すると、１つの方向に前記第２の部分を付勢するように構成される、請求項２３に記載の装置。
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
空気濾過装置であって、
濾過装置シェルと、ダクトのみによって前記シェルに取り付けられることによって前記シェルから振動的に隔離された送風機と、を備え、前記ダクトがエラストマー材を含む、空気濾過装置。
【請求項２】
前記送風機が、前記送風機を含む濾過ユニットを更に備え、前記濾過ユニットが、
汚染空気入口と、
前記汚染空気入口と流体連通するフィルタアセンブリと、
ダクトを介して前記フィルタアセンブリと流体連通する送風機アセンブリであり、
前記送風機アセンブリが濾過空気出口をも備えている、送風機アセンブリと、
前記送風機アセンブリの濾過空気出口と流体連通する濾過空気通路と、
を備え、前記フィルタアセンブリが、前記汚染空気入口と流体連通するフィルタ部材を備える、請求項１に記載の空気濾過装置。
【請求項３】
前記ダクトのエラストマー材が、熱可塑性エラストマー（ＴＰＥ）、熱可塑性加硫物（ＴＰＶ）、シリコーン、及び天然ゴム、合成ゴム、又はそれらの組合せを含む、請求項１に記載の空気濾過装置。
【請求項４】
動力付き空気レスピレータの作製方法であって、
ヘルメットを提供することと、
濾過装置を提供することと、
前記濾過装置を前記ヘルメットの内部に取り付けて、動力付き空気浄化レスピレータを形成することと、を含み、
前記濾過装置が、
濾過装置シェルと濾過ユニットとを備え、前記濾過ユニットが、
汚染空気入口と、
前記汚染空気入口と流体連通するフィルタアセンブリと、
ダクトを介して前記フィルタアセンブリと流体連通する送風機アセンブリであって、
濾過空気出口をも備える、前記送風機アセンブリと、
前記送風機アセンブリ濾過空気出口と流体連通する濾過空気通路と、を備え、
前記フィルタアセンブリが、
前記汚染空気入口と流体連通するフィルタ部材を備え、
前記送風機アセンブリが、前記ダクトだけによって前記濾過装置シェルに取り付けられていることによって、前記濾過装置シェルから振動的に隔離されており、
前記ダクトが、
エラストマー材を含む、前記方法。
【請求項５】
動力付き空気レスピレータの作製方法であって、
呼吸ヘッドギアを提供することと、
濾過装置を提供することと、
動力付き空気浄化レスピレータを形成するために、前記呼吸ヘッドギア及び前記濾過装置に取り付けられたホースによって前記濾過装置を前記呼吸ヘッドギアに取り付けることと、を含み、前記濾過装置が、
濾過装置シェルと濾過ユニットとを備え、前記濾過ユニットが、
汚染空気入口と、
前記汚染空気入口と流体連通するフィルタアセンブリと、
ダクトを介して前記フィルタアセンブリと流体連通する送風機アセンブリであって、
濾過空気出口も備える、前記送風機アセンブリと、
前記送風機アセンブリ濾過空気出口と流体連通する濾過空気通路と、を備え、
前記フィルタアセンブリが、
前記汚染空気入口と流体連通するフィルタ部材を備え、
前記送風機アセンブリが、前記ダクトだけによって前記濾過装置シェルに取り付けられていることによって、前記濾過装置シェルから振動的に隔離されており、
前記ダクトが、
エラストマー材を含む、前記方法。
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
組織を治療する装置であって、
１４００と１５２０ｎｍの間又は１８６０と２５００ｎｍの間の波長を有し、１と４０ミリジュール／パルスの間を有し、かつ２００ｎｓｅｃ未満のパルス持続時間を有するレーザパルスを発生するレーザシステムと、
前記レーザに結合されて組織上のスポットに該レーザからパルスを送出し、それによって相互作用容積が、該スポットの面積及び水中の該パルスに対する貫通深度（１／ｅ）によって定められ、該相互作用容積が２：１から１：６の深さ：幅の比を有するビーム送出デバイスと、
を含み、
各スポットに送出される前記容積電力密度は、１０10Ｗ／ｃｍ3よりも大きいことを特徴とする装置。
【請求項２】
パルス繰返し数が、単一の発射から２ｋＨｚまでであることを特徴とする請求項１に記載の装置。
【請求項３】
前記波長は、１８８０と２０８０ｎｍの間又は２３４０と２５００ｎｍの間であり、前記パルスは、１と３０ミリジュール／パルスの間と２００ｎｓｅｃ未満のパルス持続時間とを有することを特徴とする請求項１に記載の装置。
【請求項４】
前記パルス持続時間は、１００ｎｓ未満であることを特徴とする請求項１に記載の装置。
【請求項５】
前記レーザパルスは、組織を放出するために該組織内の水のスピノーダル分解と前記相互作用容積内に閉じ込められた運動エネルギとを誘発する容積電力密度を該相互作用容積に送出することを特徴とする請求項１に記載の装置。
【請求項６】
組織を治療する装置であって、
波長、パルス繰返し数、パルス持続時間、及びパルス当たりのエネルギのうちの少なくとも１つが制御可能であるレーザパルスを発生するレーザシステムと、
前記レーザから前記組織上のスポットにパルスを送出するために該レーザに結合されたビーム送出デバイスと、
前記レーザが、組織の容積がスピノーダル分解を用いて放出されるように前記スポットである一定の容積の組織を照射するための波長とパルス当たりのエネルギとを有し、かつ前記レーザパルスが該容積からの応力及び熱エネルギ伝播を抑制するのに十分に短い持続時間を有する少なくとも第１の作動モードと、組織凝固がスピノーダル分解による放出なしにもたらされる少なくとも第２の作動モードとを含む該レーザに対する作動モードを選択するユーザ入力を有する該レーザシステムに結合されたコントローラと、
を含むことを特徴とする装置。
【請求項７】
前記第１の作動モード及び前記第２の作動モードは、露光中に混在することを特徴とする請求項６に記載の装置。
【請求項８】
前記第１の作動モードの前記レーザパルスは、第１の波長を有し、前記第２の作動モードの前記レーザパルスは、第２の波長を有することを特徴とする請求項６に記載の装置。
【請求項９】
前記ビーム送出デバイスは、１０から３００ミクロンの範囲のコア径を有するシリカ導波管を有することを特徴とする請求項６に記載の装置。
【請求項１０】
前記第１の作動モードのパルス繰返し数が、単一の発射から２ｋＨｚまでであることを特徴とする請求項６に記載の装置。
【請求項１１】
前記第２の作動モードにおいて、前記波長は、１８８０と２０８０ｎｍの間又は２３４０と２５００ｎｍの間であり、前記パルスは、１と１０ミリジュール／パルスの間と２００ｎｓｅｃ未満のパルス持続時間とを有することを特徴とする請求項６に記載の装置。
【請求項１２】
前記パルス持続時間は、１００ｎｓ未満であることを特徴とする請求項６に記載の装置。
【請求項１３】
前記レーザシステムは、ツリウムドープホストを含む利得媒体を有することを特徴とする請求項６に記載の装置。
【請求項１４】
前記ビーム送出デバイスは、前記組織上のスポットのパターン内に複数のパルスを送出するように配置された複数の導波管を含むことを特徴とする請求項６に記載の装置。
【請求項１５】
前記ビーム送出デバイスは、単一スポットと平行に複数のパルスを送出するように配置された複数の導波管を含むことを特徴とする請求項６に記載の装置。
【手続補正書】
【提出日】平成26年2月10日(2014.2.10)
【手続補正１】
【補正対象書類名】明細書
【補正対象項目名】００２６
【補正方法】変更
【補正の内容】
【００２６】
【図１】図１はスキー搬送装置の斜視図を示すもので、本発明の特許番号２００８０２５６０／８の改良が含まれる。図１は、特徴的な支持部を示すもので、該支持部はスキーブーツの外側に取り付けられて、基本的には使用者が歩いているときに、スキー板の後端部を受けて固定するものである。前記支持部は、順に回転体によって定められる可動部とリングベースによって定められる固定部とからなり、前記可動部は回転自在である。また、前記固定部はスキーの後端部を受け入れて固定するレセプタクルを組み入れたものである。
【図２】図２は、本発明の改良を加えた装置の分解図を示す。
【図３】図３は、支持部材の一部を形成する回転体の斜視図を示す。
【図４】図４は、支持部材の一部を構成するリングベースの平面図を示す。
【図５】図５は、図４のＡ−Ａ断面に沿ったリングベースの断面図を示す。
【図６】図６は、スキーブーツに支持部を固定するためのストラップの３本の組み方を示す図であり、組まれたストラップは前記支持部の中央ゾーンで合わさる。
【図７】図７は、対応するブーツへの本発明の装置の取り付けを示す図である。
【図８】図８は、本発明の改良を加えた装置の組立体の断面図を示す。
【手続補正２】
【補正対象書類名】特許請求の範囲
【補正対象項目名】全文
【補正方法】変更
【補正の内容】
【特許請求の範囲】
【請求項１】
スキーブーツの外側に適合するよう配置されたスキーの支持部を備え、該支持部は回転体により形成された可動部と該可動部が回転して連結される固定部とを備え、前記回転体はスキーの後端部を受けるレセプタクルを備えたスキー搬送装置において、
前記回転体の前記レセプタクルは前部を保持及びサポートする弾性のリム（７）とスキー（６）の幅に応じて調整される調整可能なランナーとにより区切られ、対応するスキー（６）の幅に安定的に調整されるときには前記スキーの幅の両端は前記調整可能ランナーの一部に対して接触し、前記回転体（２）は前記弾性のリム（７）の起点となる円形ベース（１３）を組み込んで、前記円形ベース（１３）は前記調整可能なランナーに連結されたことを特徴とするスキー搬送装置。
【請求項２】
請求項１において、前記調整可能なランナー（８）がそれぞれの前部穴と対向する長手溝（１１）を組み込む際に、前記調整可能なランナー（８）は、前記回転可能体（２）の円形ベース（１３）に配置された反対側のレール（９）に結合された後、円形ベース（１３）に配置され、前記長手溝（１１）と前部穴（１２）のボルト（１０）を通じて挿入されて、前記調整可能なランナー（８）の位置が安定的に固定されることを特徴とするスキー搬送装置。
【請求項３】
請求項２において、前記調整可能なランナー（８）を安定的な位置に固定する前記ボルト（１０）が前記回転体（２）の円形ベース（１３）の切り欠きに配置されたナット（１４））を締め上げることを特徴とするスキー搬送装置。
【請求項４】
請求項２又は請求項３において、前記長手溝（１１）は、前記調整可能なランナー（８）の位置を固定するボルト（１０）の頭にふちを合わせられることで、前記ボルトの頭が前記長手溝（１１）の表面から突き出ていないことを特徴とするスキー搬送装置。
【請求項５】
請求項２から請求項４のいずれかにおいて、前記調節可能なランナーは非同一の枝による角度形状を構成し、前記調整可能なランナー（８）の小さい枝がそれぞれのスキー（６）の幅方向を区切る際に、複数の大きな枝が前記長手溝（１１）を組み込むと共に前記回転体の反対のレール（９）に結合されることを特徴とするスキー搬送装置。
【請求項６】
請求項２から請求項５のいずれかにおいて、前記回転体（２）の前記レール（９）が蟻継ぎ状構造を備えたことを特徴とするスキー搬送装置。
【請求項７】
請求項１から請求項６のいずれかにおいて、前記弾性リム（７）は、前記スキー（６）の後端部を支持する底部（１６）を備えると共に底部の間隙（１５）を構成して前記スキー（６）のテールにより定められる後端部を受けて、さらに前記弾性リム（７）は前記回転体２の円形ベース（１３）の外側面近傍にトップアーチ部（１７）を備えて、前記底部の間隙（１５）は底部（１６）と曲線構造を備えた包込中間部（１６’）とによって区切られたことを特徴とするスキー搬送装置。
【請求項８】
請求項７において、前記弾性リム（７）の曲線状端部（１９）と前記回転体（２）の前記円形ベース（１３）の傾斜部（２０）とが、じょうご状に円錐状の開口（１８）を区画して、前記スキー（６）の挿入は前記支持部（１）の前記回転体（２）のレセプタクルの内側で前記スキーの後端部から始まることを特徴とするスキー搬送装置。
【請求項９】
請求項１から請求項８のいずれかにおいて、前記支持部（１）の固定部は、回転体（２）の円形ベース（１３）の後部から角度タブ（２１）のフリー部分にスナップフィットにより連結される循環スロット（２２）を含むリングベース（３）を備えて、相互の可動性が前記リングベース（３）の前記循環スロット（２２）との組合せにより前記角度タブ（２１）手段により得られることを特徴とするスキー搬送装置。
【請求項１０】
請求項９において、前記スキー搬送装置は、前記リングベース（３）の輪郭を区切る中間間隙を閉鎖する部材として、回転体（２）のリングベース（３）の補完的な筐体に組み込まれた中間ディスク（２４）を備えたことを特徴とするスキー搬送装置。
【請求項１１】
請求項１から請求項１０のいずれかにおいて、前記支持部が取り外し可能な方法でブーツに取り付けられる独立した組立体である場合に、ブーツ（４）の外側に取り付けられる支持部組立体の取付部分に挿入された柔軟な非スリップ材料のリング（２５）を組み込んだことを特徴とするスキー搬送装置。
【請求項１２】
請求項１から請求項１１のいずれかにおいて、前記支持部（１）はブーツ（４）の外側に少なくとも１本のストラップ（５）によって固定され、該ストラップはそれぞれ異なる方向の三本の紐（５ａ−５ｂ−５ｃ）が中間ディスク（２４）の背部のリングベース（３）で合わさるように定められた巡回をし、前記紐はリングベース（３）に備えられた３つの側面開口（２３）を通過し、ストラップ（５）に組み込まれた接着面（２９）手段と外部リング（３０）との組み合わせにより、紐のうち一本がブーツ（４）のソールの下部を通るときに閉鎖を確保することを特徴とするスキー搬送装置。
【請求項１３】
請求項１２において、ストラップ（５）の３本の紐が２つの端部（２７）が組み込まれたガイド片（２６）で合わさり、前記紐のうち２本（５ｂ−５ｃ）が２つの端部（２７）を通過し中央部で合わさりリング（２８）で係り合わせられ、さらに前記ストラップ（５）の３本目の紐（５ａ）がリング（２８）に係ることを特徴とするスキー搬送装置。
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2013528656.tif 000001
の化合物もしくはその立体異性体またはそれらの医薬的に許容し得る塩。
【請求項２】
治療学的に有効な量の請求項１記載の化合物および医薬的に許容し得る担体を含有する、処置が必要な患者におけるケモカインまたはケモカイン受容体活性の調整のための医薬組成物。
【請求項３】
該ケモカインまたはケモカイン受容体活性がＣＣＲ−１またはＣＣＲ−１受容体活性である、請求項２記載の医薬組成物。
【請求項４】
処置が必要な患者における疾患を処置するための請求項２または３のいずれに記載の医薬組成物であって、該疾患が、変形性股関節症、動脈瘤、発熱、心臓血管系作用、クローン病、うっ血性心不全、自己免疫疾患、ＨＩＶ−感染症、ＨＩＶ−関連認知症、乾癬、特発性肺線維症、移植後動脈硬化、物理的若しくは化学的に誘起される脳損傷、神経障害性疼痛、炎症性腸疾患、肺胞炎、潰瘍性大腸炎、全身性エリテマトーデス、腎毒性血清腎炎、糸球体腎炎、喘息、多発性硬化症、関節硬化症、関節リウマチ、再狭窄、臓器移植、乾癬性関節炎、多発性骨髄腫、アレルギー、肝細胞癌、結腸直腸癌、骨粗しょう症、腎線維症、および他の癌からなる群から選ばれる、該医薬組成物。
【請求項５】
インテグリン拮抗薬、ステロイド、免疫抑制剤、抗ヒスタミン薬、非ステロイド性抗喘息薬、非ステロイド性抗炎症性薬（ＮＳＡＩＤｓ）、シクロオキシゲナーゼ−２（ＣＯＸ−２）阻害剤、ＩＶ型ホスホジエステラーゼ（ＰＤＥ−ＩＶ）の阻害剤、ケモカイン受容体の他の拮抗薬、コレステロール降下薬、抗糖尿病薬、インターフェロンの製品、抗ウイルス化合物、並びに５−アミノサリチル酸もしくはそのプロドラッグ、代謝拮抗薬または細胞毒性癌化学療法薬から選ばれるその他の化合物からなる群から選ばれる追加の薬物を更に含有する、請求項２乃至４のいずれか１項に記載の医薬組成物。
【請求項６】
請求項１記載の化合物および追加の薬物を組み合わせて含む剤であって、処置が必要な患者におけるケモカインまたはケモカイン受容体活性の調整のための剤であって、該追加の薬物が、インテグリン拮抗薬、ステロイド、免疫抑制剤、抗ヒスタミン薬、非ステロイド性抗喘息薬、非ステロイド性抗炎症性薬（ＮＳＡＩＤｓ）、シクロオキシゲナーゼ−２（ＣＯＸ−２）阻害剤、ＩＶ型ホスホジエステラーゼ（ＰＤＥ−ＩＶ）の阻害剤、ケモカイン受容体の他の拮抗薬、コレステロール降下薬、抗糖尿病薬、インターフェロンの製品、抗ウイルス化合物、並びに５−アミノサリチル酸もしくはそのプロドラッグ、代謝拮抗薬または細胞毒性癌化学療法薬から選ばれるその他の化合物からなる群から選ばれる、該剤。
【請求項７】
該ケモカインまたはケモカイン受容体活性がＣＣＲ−１またはＣＣＲ−１受容体活性である、請求項６記載の剤。
【請求項８】
処置が必要な患者における疾患を処置するための請求項６または７のいずれかに記載の剤であって、該疾患が、変形性股関節症、変形性股関節症、動脈瘤、発熱、心臓血管系作用、クローン病、うっ血性心不全、自己免疫疾患、ＨＩＶ−感染症、ＨＩＶ−関連認知症、乾癬、特発性肺線維症、移植後動脈硬化、物理的若しくは化学的に誘起される脳損傷、神経障害性疼痛、炎症性腸疾患、肺胞炎、潰瘍性大腸炎、全身性エリテマトーデス、腎毒性血清腎炎、糸球体腎炎、喘息、多発性硬化症、関節硬化症、関節リウマチ、再狭窄、臓器移植、乾癬性関節炎、多発性骨髄腫、アレルギー、肝細胞癌、結腸直腸癌、骨粗しょう症、腎線維症、および他の癌からなる群から選ばれる、該剤。
【請求項９】
追加の薬物を、請求項１記載の化合物と同時期にまたは連続的に投与する、請求項６乃至８のいずれか１項に記載の剤。
【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
以下の式の化合物：
【化１】
2013528655.tif 000001
またはその薬学的に許容可能な塩または溶媒和物。
【請求項２】
以下の式：
【化２】
2013528655.tif 000002
であることを特徴とする請求項１に記載の化合物。
【請求項３】
治療に使用するための、請求項１または２に記載の化合物。
【請求項４】
ヒトにおいて血清尿酸値を下げることに使用するための、請求項１または２に記載の化合物。
【請求項５】
ヒトにおいて高尿酸血症の処置に使用するための、請求項１または２に記載の化合物。
【請求項６】
痛風を有するヒトにおける高尿酸血症の処置に使用するための、請求項１または２に記載の化合物。
【請求項７】
ヒトにおける痛風の処置に使用するための、請求項１または２に記載の化合物。
【請求項８】
個体における尿酸の異常な組織内レベルまたは器官内レベルによって特徴付けられた疾病の処置または予防に使用するための、請求項１または２に記載の化合物。
【請求項９】
前記疾病は、痛風、再発性の痛風発作、痛風関節炎、高尿酸血症、高血圧症、心疾患、冠動脈心疾患、レッシュ−ナイハン症候群、ケリー−シーグミラー症候群、腎臓病、腎結石、腎不全、関節の炎症、関節炎、尿路結石症、鉛中毒、副甲状腺機能亢進症、乾癬、サルコイドーシス、ヒポキサンチングアニンホスホリボシルトランスフェラーゼ（ＨＰＲＴ）欠乏、または、その組み合わせであることを特徴とする、請求項８の使用のための、請求項１または２に記載の化合物。
【請求項１０】
キサンチンオキシダーゼインヒビターと組み合わせた、請求項３乃至９のいずれかの使用のための、請求項１または２に記載の化合物。
【請求項１１】
前記キサンチンオキシダーゼインヒビターは、アロプリノールであることを特徴とする、請求項１０の使用のための、請求項１または２に記載の化合物。
【請求項１２】
前記キサンチンオキシダーゼインヒビターは、フェブキソスタットであることを特徴とする、請求項１０の使用のための、請求項１または２に記載の化合物。
【請求項１３】
請求項１または２の化合物、および薬学的に許容可能な担体を含む、医薬組成物。
【請求項１４】
キサンチンオキシダーゼインヒビターをさらに含む、請求項１３に記載の医薬組成物。
【請求項１５】
前記キサンチンオキシダーゼインヒビターが、アロプリノールまたはフェブキソスタットであることを特徴とする、請求項１４に記載の医薬組成物。
【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
メチラポールを含んで成る医薬組成物であって、患者に対して経口又は局所投与するために製剤化されている医薬組成物。
【請求項２】
第二の医薬活性物質を更に含んで成る、請求項１に記載の医薬組成物。
【請求項３】
第二の医薬活性物質がＧＡＢＡの発現又は活性を増大させるか、ＧＡＢＡ模倣薬 (mimic)であるか、あるいは前記患者におけるＧＡＢＡ代謝を阻害する、請求項２に記載の医薬組成物。
【請求項４】
メチラポールが、前記患者における血漿コルチゾール濃度を減少させるのに不十分な量の単位剤形で存在している、請求項１〜３のいずれか１項に記載の医薬組成物。
【請求項５】
メチラポールが、血液脳関門を透過する活動を促進する物質と接合している、請求項１〜３のいずれか１項に記載の医薬組成物。
【請求項６】
脳内のメチラポール濃度を維持するのを助ける流出阻害剤、並びに／あるいはポリエチレングリコール、グリセリン、及びゼラチンのうちの１又は複数を含んで成る賦形剤、を更に含んで成る、請求項１〜３のいずれか１項に記載の医薬組成物。
【請求項７】
視床下部・下垂体・副腎皮質（ＨＰＡ）軸を標的とするが、血漿コルチゾールを有意に減少させない第一物質と、前頭前皮質を標的とする第二物質とを含んで成る医薬組成物。
【請求項８】
前記第一物質が、コルチコトロピン放出ホルモン（ＣＨＲ）又は副腎皮質刺激ホルモン（ＡＣＴＨ）の発現又は活性を阻害する物質である、請求項７に記載の医薬組成物。
【請求項９】
前記第一物質がメチラポン（メトピロン（登録商標））、その活性代謝産物、又はケトコナゾール（ニゾラール（登録商標））である、請求項７に記載の医薬組成物。
【請求項１０】
前記第二物質がベンゾジアゼピンである、請求項７〜９のいずれか１項に記載の医薬組成物。
【請求項１１】
ベンゾジアゼピンがオキサゼパム又はクロルジアゼポキシドである、請求項１０に記載の医薬組成物。
【請求項１２】
前記第一物質が、前記患者における血漿コルチゾール濃度を減少させるのに不十分な量の単位剤形で存在している、請求項７に記載の医薬組成物。
【請求項１３】
前記第一物質及び／又は第二物質が、血液脳関門を透過する活動を促進する部分と接合している、請求項７に記載の医薬組成物。
【請求項１４】
脳内の前記第一物質及び／又は第二物質の濃度を維持するのを助ける流出阻害剤、並びに／あるいはポリエチレングリコール、グリセリン、及びゼラチンのうちの１又は複数を含んで成る賦形剤、を更に含んで成る、請求項７〜９のいずれか１項に記載の医薬組成物。
【請求項１５】
ＨＰＡ軸における異常活性に関連する疾患に罹患している患者を治療するための、請求項１〜１４のいずれか１項に記載の医薬組成物。
【請求項１６】
前記疾患が、依存、不安、鬱病、又は統合失調症である、請求項１５に記載の医薬組成物。
【請求項１７】
神経変性病に罹患している患者を治療するための、請求項１〜１４のいずれか１項に記載の医薬組成物。
【請求項１８】
前記神経変性病が、アルツハイマー病、パーキンソン病、ハンチントン病、又は筋萎縮性側索硬化症である、請求項１７に記載の医薬組成物。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
６ｍｇ／ｄＬ未満の血清尿酸値、または、５０％以上の血清尿酸値の一日での変化を提供するための量の２−（５−ブロモ−４−（４−シクロプロピルナフタレン−１−イル）−４Ｈ−１，２，４−トリアゾル−３−イルチオ）酢酸、およびアロプリノールまたはフェブキソスタットで、ヒトの痛風を処置し、ヒトの血清尿酸値を低下させ、ヒトの高尿酸血症を処置し、痛風のヒトの高尿酸血症を処置し、あるいは、個体の尿酸の異常な組織内または器官内レベルによって特徴付けられた疾病を処置または予防する際にアロプリノールまたはフェブキソスタットでも処置されたヒトにおいて使用される、２−（５−ブロモ−４−（４−シクロプロピルナフタレン−１−イル）−４Ｈ−１，２，４−トリアゾル−３−イルチオ）酢酸、または、その薬学的に許容可能な塩。
【請求項２】
痛風が、尿酸または痛風結節の大量に蓄積された沈着物の存在によって特徴付けられる、ことを特徴とする請求項１に記載の２−（５−ブロモ−４−（４−シクロプロピルナフタレン−１−イル）−４Ｈ−１，２，４−トリアゾル−３−イルチオ）酢酸。
【請求項３】
５ｍｇ／ｄＬ未満の血清尿酸値を提供するための量の、請求項１または２のいずれかに記載の２−（５−ブロモ−４−（４−シクロプロピルナフタレン−１−イル）−４Ｈ−１，２，４−トリアゾル−３−イルチオ）酢酸。
【請求項４】
４ｍｇ／ｄＬ未満の血清尿酸値を提供するための量の、請求項１または２のいずれかに記載の２−（５−ブロモ−４−（４−シクロプロピルナフタレン−１−イル）−４Ｈ−１，２，４−トリアゾル−３−イルチオ）酢酸。
【請求項５】
６０％以上の血清尿酸値の一日での変化を提供するための量の、請求項１または２のいずれかに記載の２−（５−ブロモ−４−（４−シクロプロピルナフタレン−１−イル）−４Ｈ−１，２，４−トリアゾル−３−イルチオ）酢酸。
【請求項６】
２−（５−ブロモ−４−（４−シクロプロピルナフタレン−１−イル）−４Ｈ−１，２，４−トリアゾル−３−イルチオ）酢酸、または、その薬学的に許容可能な塩の一日投与量が約４００ｍｇである、ことを特徴とする請求項１−５のいずれかに記載の２−（５−ブロモ−４−（４−シクロプロピルナフタレン−１−イル）−４Ｈ−１，２，４−トリアゾル−３−イルチオ）酢酸。
【請求項７】
２−（５−ブロモ−４−（４−シクロプロピルナフタレン−１−イル）−４Ｈ−１，２，４−トリアゾル−３−イルチオ）酢酸、または、その薬学的に許容可能な塩の一日投与量が約２００ｍｇである、ことを特徴とする請求項１−５のいずれかに記載の２−（５−ブロモ−４−（４−シクロプロピルナフタレン−１−イル）−４Ｈ−１，２，４−トリアゾル−３−イルチオ）酢酸。
【請求項８】
前記一日投与量が経口で投与される、ことを特徴とする請求項６−７のいずれかに記載の２−（５−ブロモ−４−（４−シクロプロピルナフタレン−１−イル）−４Ｈ−１，２，４−トリアゾル−３−イルチオ）酢酸。
【請求項９】
前記一日投与量が午前中に投与される、ことを特徴とする請求項６−７のいずれかに記載の２−（５−ブロモ−４−（４−シクロプロピルナフタレン−１−イル）−４Ｈ−１，２，４−トリアゾル−３−イルチオ）酢酸。
【請求項１０】
前記一日投与量が食物とともに投与される、ことを特徴とする請求項６−７のいずれかに記載の２−（５−ブロモ−４−（４−シクロプロピルナフタレン−１−イル）−４Ｈ−１，２，４−トリアゾル−３−イルチオ）酢酸。
【請求項１１】
５０％以上の反応率（例えば、ＩＴＴ分析）を提供するための量の２−（５−ブロモ−４−（４−シクロプロピルナフタレン−１−イル）−４Ｈ−１，２，４−トリアゾル−３−イルチオ）酢酸、およびアロプリノールで、痛風を処置する際にアロプリノールでも処置されたヒトにおいて使用される、２−（５−ブロモ−４−（４−シクロプロピルナフタレン−１−イル）−４Ｈ−１，２，４−トリアゾル−３−イルチオ）酢酸、または、その薬学的に許容可能な塩。
【請求項１２】
被験体の１５％未満で有害事象をもたらすための量の２−（５−ブロモ−４−（４−シクロプロピルナフタレン−１−イル）−４Ｈ−１，２，４−トリアゾル−３−イルチオ）酢酸、およびアロプリノールで、痛風を処置する際にアロプリノールでも処置されたヒトにおいて使用される、２−（５−ブロモ−４−（４−シクロプロピルナフタレン−１−イル）−４Ｈ−１，２，４−トリアゾル−３−イルチオ）酢酸、または、その薬学的に許容可能な塩。
【請求項１３】
結節性痛風で処置する際にキサンチンオキシダーゼインヒビターでも処置されたヒトにおいて使用される、２−（５−ブロモ−４−（４−シクロプロピルナフタレン−１−イル）−４Ｈ−１，２，４−トリアゾル−３−イルチオ）酢酸、または、その薬学的に許容可能な塩。
【請求項１４】
キサンチンオキシダーゼインヒビターがフェブキソスタットである、ことを特徴とする請求項１３に記載の２−（５−ブロモ−４−（４−シクロプロピルナフタレン−１−イル）−４Ｈ−１，２，４−トリアゾル−３−イルチオ）酢酸。
【請求項１５】
キサンチンオキシダーゼインヒビターがアロプリノールである、ことを特徴とする請求項１３に記載の２−（５−ブロモ−４−（４−シクロプロピルナフタレン−１−イル）−４Ｈ−１，２，４−トリアゾル−３−イルチオ）酢酸。
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
イソアクテオシドまたはその製薬上許容される塩を含む、アミロイドβペプチドに関連する疾患または状態の予防または治療のための薬剤組成物であって、前記疾患または状態が、前記アミロイドβペプチドの生成、蓄積または凝集に関連する、薬剤組成物。
【請求項２】
前記疾患または状態が、前記アミロイドβペプチドの細胞外の生成、蓄積または凝集に関連する、請求項１に記載の薬剤組成物。
【請求項３】
前記アミロイドβペプチドが、Ａβ１−４０またはＡβ１−４２である、請求項１または２に記載の薬剤組成物。
【請求項４】
前記疾患または状態が、アルツハイマー病、軽度認識障害、レビー小体認知症、ダウン症、アミロイドーシスを伴う遺伝性脳出血（ＨＣＨＷＡ）オランダ型、グアム−パーキンソン痴呆複合、脳アミロイド血管症、封入体筋炎、前頭側頭認知症、加齢性黄斑変性症、またはピック病である、請求項１〜３のいずれか１項に記載の薬剤組成物。
【請求項５】
アルツハイマー病の予防または治療のためのものである、請求項４に記載の薬剤組成物。
【請求項６】
前記イソアクテオシドまたはその製薬上許容される塩は、学習および記憶能力を維持する、改善する、または回復するように、アミロイドβペプチドによって引き起こされる神経損傷またはアポトーシスを阻害するためのものである、請求項１〜５のいずれか１項に記載の薬剤組成物。
【請求項７】
ヒトに対する有効な投与量は、１日あたり、体重１ｋｇあたり、イソアクテオシドまたはその製薬上許容される塩が０．２〜４．０ｍｇに相当する、請求項１〜６のいずれか１項に記載の薬剤組成物。
【請求項８】
イソアクテオシドまたはその製薬上許容される塩を含む、アミロイドβペプチドの生成、蓄積または凝集の阻害剤。
【請求項９】
前記イソアクテオシドまたはその製薬上許容される塩が、前記アミロイドβペプチドの細胞外の生成、蓄積または凝集の阻害のために用いられる、請求項８に記載のアミロイドβペプチドの生成、蓄積または凝集の阻害剤。
【請求項１０】
前記アミロイドβペプチドが、Ａβ１−４０またはＡβ１−４２である、請求項８または９に記載のアミロイドβペプチドの生成、蓄積または凝集の阻害剤。
【請求項１１】
請求項８〜１０のいずれか１項に記載のアミロイドβペプチドの生成、蓄積または凝集の阻害剤を含む、薬品、食品、飲料、チューイング品、パッチまたはスキンケア製品。
【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
非関節炎症性障害を有する対象を処置するための医薬組成物であって、カドヘリン１１アンタゴニストを含む、前記医薬組成物。
【請求項２】
障害が炎症性腸疾患であり、任意に、腸に投与される、請求項１に記載の医薬組成物。
【請求項３】
障害が、（ａ）乾癬、（ｂ）アトピー性皮膚炎、または（ｃ）火傷に関連する炎症であり、任意に、皮膚に投与される、請求項１に記載の医薬組成物。
【請求項４】
障害がグレーブス眼症であり、任意に、眼に投与され、任意に、（ａ）点眼剤、または（ｂ）眼軟膏で提供される、請求項１に記載の医薬組成物。
【請求項５】
障害が血管炎であり、任意に、（ａ）血管に投与され、および／または（ｂ）血管ステントで投与される、請求項１に記載の医薬組成物。
【請求項６】
障害が心房粘液腫であり、任意に、心臓に投与される、請求項１に記載の医薬組成物。
【請求項７】
障害が固形臓器移植に関連する炎症であり、任意に、移植される臓器または組織を通して潅流される、請求項１に記載の医薬組成物。
【請求項８】
障害が多発性硬化症であり、任意に、中枢神経系に投与される、請求項１に記載の医薬組成物。
【請求項９】
障害が、（ａ）糸球体腎炎、または（ｂ）間質性腎炎であり、任意に、透析を用いて投与される、請求項１に記載の医薬組成物。
【請求項１０】
障害が腹膜の炎症または憩室炎であり、任意に、腹膜の炎症が、手術、穿孔または感染に関連し、さらに任意に、腹膜に投与される、請求項１に記載の医薬組成物。
【請求項１１】
障害が、任意に手術、外傷または感染に関連する、胸膜の炎症であり、さらに任意に、肺に、任意に吸入により、投与される、請求項１に記載の医薬組成物。
【請求項１２】
カドヘリン１１アンタゴニストが、カドヘリン１１結合ペプチドである、請求項１〜１１のいずれか一項に記載の医薬組成物。
【請求項１３】
カドヘリン１１結合ペプチドが、（ａ）抗カドヘリン１１抗体または抗原結合性抗体断片である、（ｂ）カドヘリン１１融合タンパク質である、または（ｃ）全長カドヘリンまたはその断片を含む、請求項１２に記載の医薬組成物。
【請求項１４】
カドヘリン１１アンタゴニストが、カドヘリン１１核酸アンタゴニストである、請求項１〜１２のいずれか一項に記載の医薬組成物。
【請求項１５】
カドヘリン１１核酸アンタゴニストが、（ａ）カドヘリン１１ｓｉＲＮＡ、（ｂ）カドヘリン１１リボザイム、（ｃ）カドヘリン１１アンチセンス分子、または（ｄ）全長カドヘリン１１をコードする核酸またはその断片である、請求項１４に記載の医薬組成物。
【請求項１６】
カドヘリン１１アンタゴニストが、小分子である、請求項１〜１２のいずれか一項に記載の医薬組成物。
【請求項１７】
免疫抑制剤と組み合わせて用いられ、任意に、該免疫抑制剤がステロイドである、請求項１〜１６のいずれか一項に記載の医薬組成物。
【誤訳訂正書】
【提出日】平成26年2月28日(2014.2.28)
【誤訳訂正１】
【訂正対象書類名】明細書
【訂正対象項目名】００４５
【訂正方法】変更
【訂正の内容】
【００４５】
例２
１Ｌ反応器中で、５００部のポリリン酸（８５．８〜８６％のＰ２Ｏ５）を１００℃に加熱する。この温度で、９０部の２，５−ビス−フェニルアミノ−テレフタル酸、２部の２，５−ビス−ｐ−トリルアミノ−テレフタル酸及び８部の２，５−ビス−（４−クロロ−フェニルアミノ）テレフタル酸を加え、そして１２５℃で５時間攪拌し、ここで閉環が起こる。溶融物を、０℃のオルトリン酸（２０重量％）１５００部中に注ぎ入れ、そして１時間攪拌する。粗製顔料を室温で濾過し、そしてプレスケーキをｐＨが中性になるまで水で洗浄する。このプレスケーキ（乾燥顔料１部に相当）を５部のｉｓｏ−ブタノール及び４部の水中に懸濁し、ｐＨを８〜９に調節し、そして還流下に５時間攪拌する。ｉｓｏ−ブタノールを水蒸気蒸留によって除去し、そして顔料を室温で濾過し、中性に洗浄し、そして８０℃で乾燥する。得られた固溶体は、次のＸ線回折角、すなわち２Θ：６．１１、１２．３７、１３．８２、１４．３４、２５．００、２６．２４、２７．６７を有する。
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
組成物の重量に基づいて、重量パーセントで
Ａ．６０から９９％の
（１）４０，０００ｇ／ｍｏｌ（グラム／モル）より大きい重量平均分子量（Ｍｗ）を有し、
（２）１．７から３．５の分子量分布（Ｍｗ／Ｍｎ）を有し、及び
（３）１つ又はそれ以上のハードセグメント及び１つ又はそれ以上のソフトセグメントを含み、前記ハードセグメント及びソフトセグメントは１８．５ｍｏｌ／％未満のα−オレフィン含量の差を有する、
エチレン／α−オレフィンマルチブロックインターポリマー（ＯＢＣ）、及び
Ｂ．４０から１％の導電性充填剤
を含む組成物。
【請求項２】
前記導電性充填剤は、カーボンブラック、導電性カーボン及び金属粒子のうちの少なくとも１つである、請求項１に記載の組成物。
【請求項３】
ＯＢＣ以外のエラストマーが前記組成物の重量に基づいて１から３５ｗｔ％の量で存在し、該ＯＢＣ以外のエラストマーはポリオレフィンホモポリマー及びインターポリマーのうちの少なくとも１つである、請求項２に記載の組成物。
【請求項４】
ハロゲン非含有である、請求項１に記載の組成物。
【請求項５】
請求項１に記載の組成物を含むワイヤー又はケーブル製品。
【手続補正書】
【提出日】平成26年2月19日(2014.2.19)
【手続補正１】
【補正対象書類名】特許請求の範囲
【補正対象項目名】全文
【補正方法】変更
【補正の内容】
【特許請求の範囲】
【請求項１】
コモノマー分布定数が約４５よりも大きく４００までであることを特徴とするエチレン系ポリマー組成物であって、前記組成物が炭素１，０００，０００個あたり１２０個未満の全不飽和単位を有し、前記組成物が、１．０重量％よりも多くを含む各々の画分に関して、各々の温度で１．００以下であるＭＷ比（全画分の総面積で除算した前記画分の面積を表す）を有するとしてさらに特徴付けられ、前記組成物が０．９０ｇ／１０分以下のメルトインデックスを有するとしてさらに特徴付けられる、組成物。
【請求項２】
０．９４５ｇ／ｃｃ未満かつ０．９２ｇ／ｃｃよりも大きい密度をさらに含む、請求項１に記載の組成物。
【請求項３】
０．９２ｇ／ｃｃよりも大きく０．９４ｇ／ｃｃ未満の密度をさらに含む、請求項１に記載の組成物。
【請求項４】
前記ＭＷ比が、各々の画分の温度とともに増加する、請求項１に記載の組成物。
【請求項５】
前記ＭＷ比が、５０℃以下の各々の温度に関して０．１０未満である、請求項１に記載の組成物。
【請求項６】
累積重量分率が、５０℃までの温度の画分に関して０．１０未満である、請求項１に記載の組成物。
【請求項７】
累積重量分率が、８５℃までの温度の画分に関して０．０３以上である、請求項１に記載の組成物。
【請求項８】
前記組成物が、
（ａ）ＭＩが０．３未満であり、成分Ｂよりも大きい密度を有し、成分ＢとＡの密度差が０．００５ｇ／ｃｃよりも大きい、前記組成物の２０〜６５重量％である１種類の成分Ａと
（ｂ）成分Ａのものよりも大きいＭＩを有する成分Ｂを、
（ｃ）０．９以下のＭＩ及び０．９４５ｇ／ｃｃ未満かつ０．９２ｇ／ｃｃよりも大きい密度を有する全ポリマーとともに含むことをさらに特徴とする、請求項１に記載の組成物。
【請求項９】
前記組成物が、炭素１０００個あたり約３までの長鎖分枝を含む、請求項１に記載のポリマー組成物。
【請求項１０】
少なくとも２．５のＺＳＶＲを有する、請求項１に記載のポリマー組成物。
【請求項１１】
少なくとも４のＺＳＶＲを有する、請求項１に記載のポリマー組成物。
【請求項１２】
炭素１，０００，０００個あたり２０個未満のビニリデン不飽和単位を含むことをさらに特徴とする、請求項１に記載のポリマー。
【請求項１３】
炭素１，０００，０００個あたり２０個未満の三置換不飽和単位を含むことをさらに特徴とする、請求項１に記載のポリマー。
【請求項１４】
前記組成物が二峰性分子量分布を有する、請求項１に記載のポリマー組成物。
【請求項１５】
単一のＤＳＣ溶融ピークをさらに含む、請求項１に記載のポリマー組成物。
【請求項１６】
請求項１に記載の組成物を含む二次加工品。
【請求項１７】
請求項１に記載の組成物及び少なくとも１種の天然又は合成ポリマーを含む、熱可塑性配合物。
【請求項１８】
前記合成ポリマーがＬＤＰＥであり、前記ＬＤＰＥ％が３０％よりも大きい配合物であって、前記配合物を含むインフレーションフィルムが、１５ｃＮよりも大きいＭＤ収縮張力、６０フィート−ポンド／インチ３よりも大きい破断強度（puncture）、２０％未満のヘイズを有する、請求項１８に記載の配合物。
【請求項１９】
前記組成物が、パージを除いて、３５℃から１２０℃までの単峰性又は二峰性分布を含むコモノマー分布プロフィールを有する、請求項１に記載の組成物。
【請求項２０】
約８０，０００から約２００，０００ｇ／ｍｏｌまでのＭｗを含む、請求項１に記載のポリマー組成物。
【請求項２１】
少なくとも１種のフィルム層の形態の、請求項１７に記載の二次加工品。
【請求項２２】
１９０℃で０．１ｒａｄ／秒での粘度の、１９０℃で１００ｒａｄ／秒での粘度に対する比が、動的機械的分光法により測定して８．５よりも大きいことを特徴とする、請求項１に記載のポリマー組成物。
【請求項２３】
１９０℃にて動的機械的分光法により測定して１０，０００Ｐａの複素弾性率で、６５度未満であって０度よりも大きい位相角を有することを特徴とする、請求項１に記載のポリマー組成物。
【請求項２４】
Ｍｗ／Ｍｎが１０未満であることを特徴とする、請求項１に記載のポリマー組成物。
【請求項２５】
Ｍｗ／Ｍｎが４未満であることを特徴とする、請求項１に記載のポリマー組成物。
【手続補正書】
【提出日】平成26年4月18日(2014.4.18)
【手続補正１】
【補正対象書類名】明細書
【補正対象項目名】００９６
【補正方法】変更
【補正の内容】
【００９６】
好ましくは、ポリマーは、一方では末端ヒドロキシル基を有するポリエーテル、ポリエステル及びポリブタジエン、及び他方では脂肪族または芳香族ポリイソシアネートから誘導されるポリウレタンである。
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
器物洗浄のための洗浄用系であって、
（ａ）少なくとも８０質量％のアルカリ金属水酸化物、１０質量％以下の腐食防止剤および１０質量％以下の界面活性剤からなる洗浄剤組成物、該洗浄剤組成物は、アルカリ金属炭酸塩を実質的に含まない、ならびに
（ｂ）水およびキレート化酸からなるすすぎ溶液、
を含んでなる洗浄用系。
【請求項２】
前記洗浄剤組成物が、リンを実質的に含まない、請求項１記載の洗浄用系。
【請求項３】
前記キレート化酸が、クエン酸、グルコン酸、酒石酸、マレイン酸、リンゴ酸、グルカル酸、Ｎ−モノおよびジアセテートアミノ酸、乳酸、ピコリン酸、シュウ酸、３，４−ジヒドロキシ安息香酸、フマル酸、グルコヘプトン酸、ニトリロ三酢酸およびエチレンジアミン四酢酸の１種を含む、請求項１記載の洗浄用系。
【請求項４】
前記キレート化酸が、クエン酸を含む、請求項１記載の洗浄用系。
【請求項５】
前記洗浄剤組成物が、１０〜１２の範囲のｐＨを有する、請求項１記載の洗浄用系。
【請求項６】
表面から汚れを除去し、そして該表面上への水の硬度の堆積を防止する方法であって、
（ａ）該表面を、苛性洗浄剤組成物と接触させること、該苛性洗浄剤組成物は、少なくとも８０質量％のアルカリ金属水酸化物、１０質量％以下の腐食防止剤および１０質量％以下の界面活性剤からなり、該苛性洗浄剤組成物は、アルカリ金属炭酸塩を実質的に含まない、ならびに、
（ｂ）次いで、該表面を、水およびキレート化酸からなるすすぎ溶液ですすぐこと、
を含んでなる方法。
【請求項７】
前記キレート化酸が、クエン酸、グルコン酸、酒石酸、乳酸、マレイン酸、リンゴ酸、グルカル酸、Ｎ−モノおよびジアセテートアミノ酸、ピコリン酸、シュウ酸、３，４−ジヒドロキシ安息香酸、フマル酸、グルコヘプトン酸、ニトリロ三酢酸およびエチレンジアミン四酢酸の１種を含む、請求項６記載の方法。
【請求項８】
前記洗浄剤組成物が、１質量％未満のリンを含む、請求項６記載の方法。
【請求項９】
前記洗浄剤組成物が、１質量％未満のアルカリ金属炭酸塩を含む、請求項６記載の方法。